(57)【要約】  ソース基地局（３．１）からターゲット基地局（３．２）へのユーザ機器（ＵＥ１）のハンドオーバーの方法。提案された方法は、ユーザ機器固有の情報（ＳＩ）をソース基地局（３．１）から少なくとも１つの候補基地局（３．２）に提供するステップと、少なくとも１つの候補基地局（３．２）によってソース基地局（３．１）へのユーザ機器（４．１）のアップリンク送信（ＵＬ１）中のアップリンク無線状況を評価するステップと、前記評価に関連する情報（ＥＩ）を少なくとも１つの候補基地局（３．２）によってソース基地局（３．１）に送信するステップと、前記評価に基づいて、ソース基地局（３．１）によってハンドオーバーの決定を行うステップとを含む。
2009542064.tif 000002
【特許請求の範囲】
【請求項１】
ソース基地局（３．１）からターゲット基地局（３．２）へのユーザ機器（ＵＥ１）のハンドオーバーの方法であって、
ユーザ機器固有の情報（ＳＩ）を少なくとも１つの候補基地局（３．２）に提供するステップと、
前記少なくとも１つの候補基地局（３．２）によって前記ソース基地局（３．１）への前記ユーザ機器（４．１）のアップリンク送信（ＵＬ１）中のアップリンク無線状況を評価するステップと、
前記評価に関連する情報（ＥＩ）を前記少なくとも１つの候補基地局（３．２）によって送信するステップと、
前記評価に基づいて、ハンドオーバーの決定を行うステップと
を含む方法において、
前記ユーザ機器固有の情報（ＳＩ）を提供する前記ステップ、前記評価に関連する前記送信された情報（ＥＩ）を受信する前記ステップ、および前記ハンドオーバーの決定を行う前記ステップが前記ソース基地局（３．１）によって実行される
ことを特徴とする方法。
【請求項２】
前記ユーザ機器固有の情報（ＳＩ）が、
前記ソース基地局（３．１）の識別子と、
前記ソース基地局におけるユーザ機器識別子と、
前記ユーザ機器（４．１）のアップリンク・スケジューリング情報と、
絶対時間測定値と、
前記ユーザ機器の割り当てられたアップリンク電力と、
前記ユーザ機器によって送信されたパイロット・シンボルについての情報と
のうちの少なくとも１つを含むことを特徴とする請求項１に記載の方法。
【請求項３】
前記ユーザ機器固有の情報（ＳＩ）を前記少なくとも１つの候補基地局（３．２）に送信するステップが、前記ユーザ機器（４．１）との通信の場合と同じメッセージ要素構造を使用するステップを伴うことを特徴とする請求項１に記載の方法。
【請求項４】
前記ユーザ機器固有の情報（ＳＩ）を受信すると、前記ユーザ機器（４．１）に現在割り当てられているもの以外のリソースのみが、前記少なくとも１つの候補基地局（３．２）に関連付けられている無線セル（２．２）内において割り当てられることを特徴とする請求項１に記載の方法。
【請求項５】
前記アップリンク無線状況を評価する前記ステップ中に、前記ソース基地局（３．１）が、使用可能な無線リソースの全帯域幅にわたって、周波数ダイバースの方法で、前記ユーザ機器（４．１）にリソースを割り当てることを特徴とする請求項１に記載の方法。
【請求項６】
前記評価関連の情報（ＥＩ）が、
前記ユーザ機器（４．１）が前記候補基地局にハンドオーバーされる場合、前記候補基地局（３．２）における新しいユーザ機器識別子と、
前記候補基地局（３．２）におけるタイミング・アドバンスと、
アップリンク・パス損失と、
前記候補基地局におけるアップリンク電力情報と
のうちの少なくとも１つを含むことを特徴とする請求項１に記載の方法。
【請求項７】
前記ユーザ機器固有の情報（ＳＩ）に含まれるタイミング情報から前記ソース基地局（３．１）に関する候補基地局（３．２）のタイミング・アドバンスを決定するステップをさらに含む請求項１に記載の方法。
【請求項８】
タイミング・アドバンス測定値を前記ユーザ機器（４．１）に転送するステップをさらに含む請求項７に記載の方法。
【請求項９】
いくつかのユーザ機器（４．１、４．２、４．３）を含む無線通信ネットワーク（１）においてソース基地局として使用するための基地局（３．１、３．２、３．３、３．ｘ）であって、
ソース基地局（３．１）に関連付けられている無線セル（２．１）内のユーザ機器（４．１）に固有の情報（ＳＩ）を少なくとも１つの候補基地局（３．２）に提供する手段（３ａ）と、
前記ソース基地局（３．１）への前記ユーザ機器（４．１）のアップリンク送信（ＵＬ１）中の無線アップリンク状況の評価に関連する情報（ＥＩ）を少なくとも１つの候補基地局（３．２）から受信する手段（３ｂ）と、
前記評価に基づいて、前記ユーザ機器（４．１）に関してハンドオーバーの決定を行う手段（３ｃ）と
を特徴とする基地局。
【請求項１０】
無線通信ネットワーク（１）において候補基地局（３．２）として使用するための基地局（３．１、３．２、３．３、３．ｘ）であって、
ソース基地局（３．１）から前記ユーザ機器固有の情報（ＳＩ）を受信する手段（３ｂ）と、
前記評価を実行する手段（３ｃ）と、
前記ソース基地局（３．１）に前記評価関連の情報（ＥＩ）を提供する手段（３ａ）と
を特徴とする請求項９に記載の基地局。
【発明の詳細な説明】
【技術分野】
【０００１】
本発明は、ソース基地局からターゲット基地局へのユーザ機器のハンドオーバーの方法に関する。
【０００２】
また、本発明は、いくつかのユーザ機器を含む無線通信ネットワークにおいて、ソース基地局として、および候補またはターゲット基地局として使用するための基地局に関する。
【背景技術】
【０００３】
移動無線通信システムにおいて、特に、ＵＭＴＳ（ユニバーサル移動電話システム）のＬＴＥ（Ｌｏｎｇ  Ｔｅｒｍ  Ｅｖｏｌｕｔｉｏｎ）など、ＯＦＤＭ（直交周波数分割多重）インターフェイスを含むシステムにおいて、複数の無線セルは、それぞれの基地局に接続されており、それぞれの基地局によってサービス提供されている。移動端局装置（ｍｏｂｉｌｅ  ｅｎｄ  ｔｅｒｍｉｎａｌ）またはユーザ機器が所与の無線セルの周辺において移動中であり、隣接する無線セルに入ろうとしている場合、前記ユーザ機器の接続を、現在サービス提供している基地局（ソース基地局またはソースｅＮｏｄｅＢとも呼ばれる）からターゲット基地局またはターゲットｅＮｏｄｅＢに転送することができる。対応する手順は、一般にハンドオーバーと呼ばれ、当業者にはよく知られている。
【０００４】
正常で有益なハンドオーバーを実行するために、ハンドオーバーの実行前に、以下の基本情報、
−  候補基地局におけるユーザ機器によってもたらされる干渉
−  ユーザ機器とハンドオーバー候補基地局との間のアップリンク無線チャネルの品質
−  ユーザ機器が候補基地局に関連付けられている無線セルへのハンドオーバーを行う場合の潜在的利益
−  候補基地局がターゲット基地局として選択された場合のユーザ機器のタイミング・アドバンス（ｔｉｍｉｎｇ  ａｄｖａｎｃｅ）
のうちの少なくとも一部を評価する必要がある。
【０００５】
しかし、上述したＯＦＤＭベースのＬＴＥシステムなど、現在知られている無線通信システムにおいて、後者は局部的にしか使用できないため、上記に列挙した基本情報を評価できる可能性がない。
【０００６】
例えば、国際特許第９７／３２４４５号は、近隣セル・リストを順応可能に再構成するための方法および装置を開示している。それによって、セルラー・システムの選択されたセルの場合、選択されたセルおよび近隣の複数の基地局のそれぞれに関連付けられているデータが収集される。収集されたデータは、近隣の基地局の測定チャネルにおいて行われた信号レベル測定値を含む。選択されたセルのための近隣セル・リストは、最高品質値を決定し、最高品質値に関連付けられている近隣セルのハンド・オフ測定チャネルを近隣セル・リストに入れることによって生成される。
【特許文献１】国際特許第９７／３２４４５号
【発明の開示】
【発明が解決しようとする課題】
【０００７】
本発明の目的は、前記基本情報を評価することができ、したがって、無線通信システムにおけるハンドオーバーの効率を向上させることができる上記で定義されたタイプの方法を提供することである。また、本発明の目的は、前記方法を実践に移すために、無線通信ネットワークにおいて使用できる基地局を提供することである。
【課題を解決するための手段】
【０００８】
本発明の第１の態様によれば、この目的は、
−  ユーザ機器固有の情報をソース基地局から少なくとも１つの候補基地局に提供するステップと、
−  少なくとも１つの候補基地局によってソース基地局へのユーザ機器のアップリンク送信中のアップリンク無線状況を評価するステップと、
−  前記評価に関連する情報を少なくとも１つの候補基地局によってソース基地局に送信するステップと、
−  前記評価に基づいて、ソース基地局によってハンドオーバーの決定を行うステップと
を含む上記で定義されたタイプの方法を提供することによって達成される。
【０００９】
本発明の第２の態様によれば、この目的は、
−  ソース基地局に関連付けられている無線セル内のユーザ機器に固有の情報を少なくとも１つの候補基地局に提供する手段と、
−  ソース基地局へのユーザ機器のアップリンク送信中の無線アップリンク状況の評価に関連する情報を少なくとも１つの候補基地局から受信する手段と、
−  前記評価に基づいて、前記ユーザ機器に関してハンドオーバーの決定を行う手段と
を含む上記で定義されたタイプの基地局を提供することによっても達成される。
【００１０】
このように、本発明は、通常はそれぞれの基地局において局部的にしか利用できない情報を基地局またはｅＮｏｄｅＢが交換するという概念に基づく。この情報が提供される基地局は、所与のユーザ機器のアップリンク送信を明示的に「聞く」ことができ、識別されたユーザ機器に関して、無線状態を評価することができる。評価された情報は、将来のハンドオーバーの決定に関して、現在のソース基地局にとって重要度が高いものである。
【００１１】
前記無線状態の徹底的な評価を可能にするために、本発明による方法の別の実施形態において、前記ユーザ機器固有の情報は、
−  ソース基地局の識別子と、
−  ソース基地局におけるユーザ機器識別子と、
−  ユーザ機器のアップリンク・スケジューリング情報と、
−  絶対時間測定値と、
−  ユーザ機器の割り当てられたアップリンク電力と、
−  ユーザ機器によって送信されたパイロット・シンボルについての情報と
のうちの少なくとも１つを含む。
【００１２】
既存の標準化されたソリューションとの互換性のために、本発明による方法のさらに別の実施形態では、前記ユーザ機器固有の情報を少なくとも１つの候補基地局に送信するステップは、ユーザ機器との通信の場合と同じメッセージ要素構造を使用するステップを伴う。
【００１３】
ハンドオーバー候補ユーザ機器によって送信されたアップリンク信号のよりよい検出のために、本発明による方法の別の実施形態では、前記ユーザ機器固有の情報を受信すると、前記ユーザ機器に現在割り当てられているもの以外のリソースのみが、少なくとも１つの候補基地局に関連付けられている無線セル内において割り当てられる。
【００１４】
使用された無線リソースの品質インジケータは、無線通信システムによって使用される全周波数帯域幅にわたって提供されることが好ましい。この文脈で、本発明による方法の別の態様によれば、アップリンク無線状況の評価の前記ステップ中に、ソース基地局は、周波数ダイバースの方法（ｆｒｅｑｕｅｎｃｙ−ｄｉｖｅｒｓｅ  ｍａｎｎｅｒ）で、前記ユーザ機器にリソースを割り当てる。
【００１５】
ソース基地局による有益なハンドオーバーの決定を可能にするために、本発明による方法のさらに別の実施形態では、ソース基地局に戻された評価関連の情報は、
−  ユーザ機器が候補基地局にハンドオーバーされる場合、候補基地局における新しいユーザ機器識別子と、
−  候補基地局におけるタイミング・アドバンスと、
−  アップリンク・パス損失と、
−  候補基地局におけるアップリンク電力情報と
のうちの少なくとも１つを含む。
【００１６】
ソース基地局に関する候補基地局のタイミング・アドバンスは、前記ユーザ機器固有の情報に含まれるタイミング情報から決定することができる。
【００１７】
ターゲット基地局として選択される候補基地局への優先ハンドオーバー（ｅｘｐｅｄｉｔｅｄ  ｈａｎｄｏｖｅｒ）を可能にするために、本発明の方法の別の実施形態によれば、後者は、タイミング・アドバンス測定値をユーザ機器に転送するステップを含む。
【００１８】
本発明の前記第２の態様による本発明の基地局を、無線通信ネットワークにおいて候補基地局として使用できるようにするために、本発明の別の実施形態によれば、基地局は、
−  ソース基地局から前記ユーザ機器固有の情報を受信する手段と、
−  前記評価を実行する手段と、
−  ソース基地局に前記評価関連の情報を提供する手段と
も含む。
【００１９】
当業者であれば理解できるように、上述した発明の手法は、分散型無線リソース管理（ＲＲＭ）をサポートする。
【００２０】
本発明のこれ以上の利点および特徴は、例示として提供されているにすぎない好ましい実施形態の以下の説明を、添付の図面と併せ読めば理解できよう。上記および下記の特徴は、本発明に従って、個々にまたは併せて使用することができる。記載の実施形態は、網羅的な列挙とみなされるものではなく、むしろ本発明の基礎にある基本概念との関連で例とみなされるものとする。
【発明を実施するための最良の形態】
【００２１】
図１は、本発明による方法の一実施形態を示す結合されたシステム・アーキテクチャおよびタイミング図を示す。図１の上部には、移動通信ネットワーク１、例えば、ＯＦＤＭ（直交周波数分割多重）ベースのＵＭＴＳ−ＬＴＥシステム（Ｌｏｎｇ  Ｔｅｒｍ  Ｅｖｏｌｕｔｉｏｎ  ｏｆ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）が示されている。前記システムまたはネットワーク１は、一般に、それぞれの基地局３．１、３．２、３．３と関連付けられている、またはそれぞれの基地局３．１、３．２、３．３によってサービス提供されているいくつかの無線セル２．１、２．２、２．３を含む。ＵＭＴＳの文脈では、前記基地局３．１〜３．３は、ＮｏｄｅＢまたはｅＮｏｄｅＢ（ｅｖｏｌｖｅｄ  ＮｏｄｅＢ）とも呼ばれる。移動通信の目的で、基地局３．１〜３．３は、例えば使用されている周波数や送信電力レベルに関してなど、それぞれの無線リソースを、その特定の基地局３．１〜３．３に関連付けられているそれぞれの無線セル２．１〜２．３内に存在する移動端局装置４．１、４．２、４．３に割り当てる。ここで検討される文脈例において、前記移動端局装置４．１〜４．３は、ユーザ機器（ＵＥ）とも呼ばれる。
【００２２】
ユーザ機器４．１〜４．３の移動度は、図１において、ＵＥ４．１（以下ＵＥ１とも呼ぶ）に関連付けられている矢印Ｍによって例示的に示されている。
【００２３】
図１の上部にさらに示されているように、ＵＥ１は、現在、アップリンクＵＬ１を介して無線セル２．１／基地局３．１に関連付けられている。同様に、ＵＥ４．２（以下ＵＥ２とも呼ぶ）は、アップリンクＵＬ２を介して無線セル２．２／基地局３．２に関連付けられている。同じように、ＵＥ４．３（ＵＥ３）は、現在、アップリンクＵＬ３を介して無線セル２．３内の基地局３．３に接続されている。
【００２４】
当業者に知られているように、図１に矢印Ｍによって示されているように、ＵＥ１などのユーザ機器が、基地局３．１などの第１の基地局によってサービス提供されている無線セル２．１などの無線セルを離れようとしており、基地局３．２などの第２の基地局によってサービス提供されている無線セル２．２などの無線セルに入ろうとしている場合、ハンドオーバーが実行される。この文脈で、前記第２の基地局は、その特定のＵＥのターゲット基地局と呼ばれる。したがって、前記第１の基地局は、ソース基地局と呼ばれる。
【００２５】
図１にさらに示されるように、基地局３．２など所与の基地局は、その特定の基地局によってサービス提供されることなく、無線セル２．２など関連の無線セルのカバレージ・エリア内に配置されている他のＵＥの送信からの干渉を体験する。この図１において、これは、ＵＥ１と基地局３．２との間の干渉Ｉ１、および基地局３．２とＵＥ３との間の干渉Ｉ２として示されている。
【００２６】
本発明によれば、例えば無線セル２．１／基地局３．１から無線セル２．２／基地局３．２へのＵＥ１のハンドオーバーなどの潜在的ハンドオーバーの決定前に、前記干渉Ｉ１、Ｉ２に関連する情報が考慮に入れられる。
【００２７】
基地局３．２などの候補基地局におけるＵＥ１など当該のＵＥによってもたらされる干渉、前記ＵＥと候補基地局との間のアップリンク無線チャネルの品質、前記ＵＥが候補基地局に関連付けられている無線セル２．２などの無線セルへのハンドオーバーを行う場合の潜在的利益、および候補基地局が前記ハンドオーバーのために選択されたターゲット基地局である場合の前記ＵＥのタイミング・アドバンスといった基本情報は、ハンドオーバーの実行前に評価されることが好ましい。  
【００２８】
上述したように、本発明の基礎にある基本概念は、基地局３．１〜３．３が、例えば、一般に局部的に、すなわち各個々の基地局３．１〜３．３でしか使用できないＵＥ識別、ＵＥスケジューリング、および無線パラメータに関して、情報を交換することである。この種の情報が提供される基地局は、ＵＬ１、ＵＬ２などのアップリンク送信を「聞く」ことができ、対応するＵＥ、すなわちそれぞれＵＥ１およびＵＥ３によってもたらされる干渉を評価することができる。例えば、ＵＥ１の識別がわかると、基地局３．２は、ＵＥ１と基地局３．１との間のアップリンク送信ＵＬ１を聞くことができ、したがって、前記干渉Ｉ１に関して情報を集めることができる。
【００２９】
さらに、タイミング・アドバンスおよび他の送信の特徴は、潜在的な候補基地局によって評価することができる。評価された情報は、現在のソース基地局、すなわちこの例では基地局３．１に戻され、ハンドオーバーターゲット基地局の選択に重要度が高いものである。
【００３０】
この手法は、図１の下部に示されている。図１の下部において、複数の縦線はそれぞれ、「ソースｅＮｏｄｅＢ」、「ＵＥ１」、「候補ｅＮｏｄｅＢ」、「ＵＥ２」、「ＵＥ３」、および「他のｅＮｏｄｅＢ」とラベル付けされている。この文脈で、「ソースｅＮｏｄｅＢ」を前記基地局３．１として扱い、「候補ｅＮｏｄｅＢ」を前記基地局３．２として扱い、「他のｅＮｏｄｅＢ」を前記基地局３．３として扱うことができる。さらに、図１の下部において、基地局間または基地局とユーザ機器との間に送信されたメッセージは、上述したように、対応する縦線を結ぶ水平方向の矢印によって示される。
【００３１】
図１の実施形態を参照すると、本発明は、３段階の手法に基づく。
１．ソースｅＮｏｄｅＢ／基地局３．１は、少なくとも１つの候補ｅＮｏｄｅＢ、すなわち基地局３．２に接続されているＵＥ１に固有の情報を提供する。これは、図１の下部における水平方向の矢印ＳＩによって示される。
２．少なくとも１つの候補ｅＮｏｄｅＢ／基地局３．２は、前記ＵＥ固有の情報ＳＩを使用して、そのサービス提供側ｅＮｏｄｅＢ／基地局３．１への当該ＵＥ、すなわちＵＥ１の通常のアップリンク送信中のアップリンク無線状況を評価する。前記評価は、図１の下部に、ボックスで表記されているＥＶＡＬによって表されている。前記評価ＥＶＡＬは、他のユーザ機器ＵＥ２、ＵＥ３からの貢献（干渉および／または通常のアップリンク送信）も考慮に入れるため、前記ボックスは、前記候補ｅＮｏｄｅＢ／基地局３．２に関連付けられている無線セル２．２における無線状況に貢献するすべてのユーザ機器ＵＥ１〜ＵＥ３の前記縦線にまたがる。
３．候補セルにおけるアップリンク無線状態についての評価情報は、現在サービス提供しているソースｅＮｏｄｅＢ／基地局３．１に戻され、これは、図１の下部において、水平方向の矢印ＥＩによって示されている。前記情報ＥＩに基づいて、ソースｅＮｏｄｅＢ／基地局３．１は、次いでハンドオーバーの決定を行い、使用可能な情報を、ハンドオーバーされる予定の当該ユーザ機器、例えばユーザ機器ＵＥ１に部分的に転送する。この最後の様子は、図１の下部における水平方向の矢印ＦＩによって示される。
【００３２】
本発明の一実施形態によれば、上記で定義されたハンドオーバー関連の情報が評価されるときはいつでも、以下の手順が行われる。
ソースｅＮｏｄｅＢ／基地局３．１は、メッセージＳＩ内の適任の候補基地局に、以下の情報、
−  ソースｅＮｏｄｅＢ／基地局３．１の識別子と、
−  ソースｅＮｏｄｅＢ／基地局３．１におけるＵＥ１の識別子と、
−  ＵＥ１のアップリンク・スケジューリング情報と、
−  ＵＥ１におけるアップリンク送信の絶対開始時刻と、
−  ＵＥ１の割り当てられたアップリンク電力と、
−  ＵＥ１によって送信されたパイロット・シンボルに関する情報と
のうちの少なくとも一部を提供する。
【００３３】
本文脈では、前記アップリンク・スケジューリング情報は、どのリソースが現在サービス提供しているセル（前記ソースｅＮｏｄｅＢに関連付けられている無線セル）において使用されたか、使用されているか、および使用されるかの指示を含む。前記絶対開始時刻は、例えば、ＧＰＳ信号から導出することができ、絶対値の形で、またはＵＥのタイミング・アドバンスとソースｅＮｏｄｅＢにおけるＵＥ送信の受信の時刻との組み合わせとして示すことができる。当業者であれば理解できるように、個々のｅＮｏｄｅＢは、その目的で物理層／サブフレームの同期に関して同期される必要はない。
【００３４】
メッセージＳＩで提供された情報は、ユーザ機器への送信に一般に使用されるものと同じ形で、すなわち同じメッセージ／情報要素構造を使用して送信されることが好ましい。
【００３５】
当業者であれば理解できるように、上述した情報のすべてが候補ｅＮｏｄｅＢにおいて必要なわけではない。しかし、使用可能な情報の量の増加は、結果的に無線状況のよりよい評価をもたらす。
【００３６】
上記で定義した情報ＳＩを受信すると、少なくとも１つの候補ｅＮｏｄｅＢ、例えば基地局３．２は、上記で定義した評価ステップＥＶＡＬ内のアップリンク無線状況の以下のアクションおよび評価を実行することができる。候補ｅＮｏｄｅＢは、前記パイロット・シンボルの性質および前記ＵＥの送信時刻に関する提供された情報を使用してＵＥによって送信されるパイロット・シンボルの到着を聞く。受信されたパイロット・シンボルの送信電力に関連する提供された情報を考慮に入れて、候補ｅＮｏｄｅＢは、アップリンク方向のパス損失を評価することができる。
【００３７】
これらの結果を使用して、使用されているリソースのチャネル品質を評価することができる。好ましくは、前記チャネル品質は、無線通信に使用可能な全帯域幅に外挿される。
【００３８】
候補ｅＮｏｄｅＢにおける全帯域幅にわたる無線チャネル品質の評価の向上のために、本発明の一実施形態では、現在のソースｅＮｏｄｅＢは、候補ｅＮｏｄｅＢが無線リソースの全帯域幅を介して干渉情報を取得するように、評価時刻ｔＥ（図１参照）中に周波数ダイバースの方法でソースを割り当てる。
【００３９】
任意選択で、ＵＥ１によって送信される無線信号のよりよい決定のために、（前記メッセージＳＩにおいて示されるように）ソースｅＮｏｄｅＢに関連付けられている無線セル内のＵＥ１に現在割り当てられているリソースは、候補ｅＮｏｄｅＢの無線セル内において使用されない。前記リソースは、候補ｅＮｏｄｅＢの無線セル内において現在割り当てられている場合、再割り当てされない。
【００４０】
評価されたアップリンク無線情報に基づいて、以下の情報、
−  ＵＥがその特定の候補ｅＮｏｄｅＢへのそのハンドオーバーを実行すべきであると前記評価が示す場合、候補ｅＮｏｄｅＢにおける当該ＵＥの新しい識別と、
−  候補ｅＮｏｄｅＢにおけるタイミング・アドバンスと、
−  アップリンク・パス損失と、
−  候補基地局におけるアップリンク電力情報と、
−  Ｐｒｏｆｆｅｒ／Ｂｉｄベースのハンドオーバー手順のためのＢｉｄ値と
のうちの少なくとも一部は、上記で定義されたメッセージＥＩでソースｅＮｏｄｅＢ／基地局３．１に戻される。
【００４１】
前記Ｐｒｏｆｆｅｒ／Ｂｉｄベースのハンドオーバー手順は、本出願の一部を形成せず、本出願者による別の出願の主題である。
【００４２】
当業者には知られているように、前記アップリンク・パス損失は、少なくとも１つのチャネル品質インジケータの形で、またはそれと共に提供することができる。
【００４３】
さらに当業者であれば理解できるように、この時点までに、少なくとも１つの候補ｅＮｏｄｅＢにおいて、リソース予約は行われていない。
【００４４】
時間間隔ｔＩ（図１参照）、すなわちメッセージＥＩとメッセージＦＩとの間において、上述したように、選択されたターゲットＮｏｄｅＢ、すなわち本例における基地局３．２は、もうすぐ起こるハンドオーバーに関して通知され、準備される。前記通知および準備は、図１には示されていない。というのは、これは、当業者には知られていると思われる標準の方法に対応するからである。上述したようなターゲットＮｏｄｅＢの選択の後、ソースｅＮｏｄｅＢは、前記タイミング・アドバンス測定値を、上述したメッセージＦＩでＵＥに転送する（ＵＥ準備）。これによって、ターゲットｅＮｏｄｅＢとして選択された候補ｅＮｏｄｅＢ／基地局３．２への優先ハンドオーバーが可能になる。好ましくは、この転送は、当業者には知られているように、ハンドオーバーコマンドメッセージ（「ＨＯコマンド」）で行うことができる。
【００４５】
タイミング・アドバンスは、これもまた当業者には知られているように、ＵＥと基地局との間の無線伝搬遅延を補うために使用される。一般に、アップリンク無線フレームのタイミングは、ダウンリンク無線フレームの固定オフセットを有する。ＵＥが基地局から離れて配置されているとき、伝搬遅延は高く、ダウンリンク伝送とアップリンク伝送との間のタイミング・オフセットは、一般に、ＵＥ内でのアップリンク無線送信の生成のためにある程度の処理時間をさらに認めるような方法で設計される。タイミング・アドバンス値は、すべてのＵＥが個々のアップリンク伝送を開始したとき、受信が正しく事前に定義された順序で、定義された無線フレーム・タイミング内にあるような方法で設定される。したがって、基地局から離れているＵＥは、基地局に近いＵＥに関して、そのアップリンク無線フレームをあらかじめ送信しておくことを必要とする。ＯＦＤＭベースの移動通信システムでは、タイミング・アドバンスの精度は、サイクリック・プレフィックスの端数の範囲内にある必要がある。
【００４６】
図２は、本発明による、基地局、例えば図１の基地局３．１または基地局３．２の概略ブロック図を示す。
【００４７】
添付の図１を参照して上述した方法ステップを実行するために、全体的に３．ｘと示す図２の基地局は、情報提供または送信手段３ａ、情報受信手段３ｂ、評価手段３ｃ、およびハンドオーバー決定手段３ｄを含む。
【００４８】
上述したように、提供手段３ａは、前記ＵＥの潜在的ハンドオーバーのために、前記ＵＥ固有の情報（図１のメッセージＳＩ）を少なくとも１つの候補基地局に提供するよう構成される。
【００４９】
受信手段３ｂは、現在のソース基地局、すなわち図２の基地局３．ｘへのＵＥのアップリンク送信中の無線アップリンク状況の評価に関連する情報を、少なくとも１つの候補基地局から受信するよう構成される。したがって、受信手段３ｂは、図１の情報ＥＩを受信するよう考案される。次いで、前記情報は、前記評価情報に基づいて、前記ＵＥに関してハンドオーバーの決定を行うよう構成される決定手段３ｄに提供される。
【００５０】
このように、図２の基地局３．ｘは、添付の図１を参照して上述したシナリオで、ソースｅＮｏｄｅＢとして有効に機能する。
【００５１】
あるいは、またはさらに、図２の基地局３．ｘは、図１のシナリオにおいて、候補ｅＮｏｄｅＢとして機能するよう構成される。このために、評価手段３ｃは、ソース基地局へのＵＥのアップリンク送信中の無線アップリンク状況の評価を行うよう構成され、前記評価は、受信手段３ｂを介して受信された上記のＵＥ固有の情報に基づく。言い換えれば、受信手段３ｂは、候補基地局から評価情報を受信するよう構成されているだけではなく、ソース基地局から前記ＵＥ固有の情報を受信するようにも構成されている。
【００５２】
同様に、基地局３．ｘの情報提供手段３ａは、前記ＵＥ固有の情報を候補基地局に提供するよう構成されているだけではなく、ソース基地局に前記評価に関連する情報も提供するよう構成されている。
【００５３】
このように、図２の基地局３．ｘは、図１のネットワーク１で使用することができ、各基地局またはｅＮｏｄｅＢは、所与のユーザ機器に関して、現在のサービス提供状況に応じて、それぞれソースｅＮｏｄｅＢおよび候補またはターゲットｅＮｏｄｅＢとして機能することができなければならない。
【図面の簡単な説明】
【００５４】
【図１】本発明による方法の一実施形態を示す結合されたシステム・アーキテクチャおよびタイミング図である。
【図２】本発明による基地局の概略ブロック図である。
【図１】
2009542064.tif 000003
【図２】
2009542064.tif 000004
【国際調査報告】
2009542064.tif 000005
2009542064.tif 000006